(57)【要約】【課題】計測対象者の体重を正確に計測でき、大型化せず、且つ使い易い体重計及び体重計の制御方法を提供すること。【解決手段】重量計測手段１０４と計測結果表示手段１０２と計時手段１１０とを有し、第１の計測結果情報と第１の計測時間情報とを関連付けて格納する第１の計測結果情報等格納手段１１３ｂと第１の計測時間情報で計時された時間から所定時間以内に計測された第２の計測結果情報を第１の計測結果情報と比較して、一方が大であるときに第２の計測結果情報と第１の計測結果情報との差を表示結果情報として生成する表示結果情報生成手段１１２ａと表示結果情報格納手段１１３ｅと表示結果情報が所定値に含まれるか判断する表示判断手段１１２とを有するデジタル表示体重計１００。【選択図】図４
2005106552.tif 000002
【特許請求の範囲】
【請求項１】
載置された対象の重量を計測する重量計測手段と、
前記重量計測手段の計測結果を表示する計測結果表示手段と、
計時するための計時手段と、を有するデジタル表示体重計であって、
前記重量計測手段で計測された第１の計測結果情報と、この第１の計測結果情報の計測時間を前記計時手段で計時した第１の計測時間情報とを関連付けて格納する第１の計測結果情報等格納手段と、
前記第１の計測時間情報で計時された時間から所定時間以内に前記重量計測手段で計測された第２の計測結果情報を前記第１の計測結果情報と比較して、一方が大であるときに、前記第２の計測結果情報と前記第１の計測結果情報との差を表示結果情報として生成する表示結果情報生成手段と、
前記表示結果情報を格納する表示結果情報格納手段と、
前記表示結果情報が、所定範囲に含まれるかを比較し、前記所定範囲に含まれる場合には前記計測結果表示手段に表示する表示判定手段と、を有することを特徴とするデジタル表示体重計。
【請求項２】
前記第１の計測結果情報を前記計測結果表示手段に表示するときに用いられる第１の表示単位を格納する第１の表示単位格納手段と、
前記表示結果情報を前記計測結果表示手段に表示するときに用いられる表示単位であり、且つ前記第１の表示単位より小さい単位である第２の表示単位を格納する第２の表示単位格納手段と、を有することを特徴とする請求項１に記載のデジタル表示体重計。
【請求項３】
前記表示結果情報生成手段は、前記第２の計測結果情報が前記第１の計測結果情報よりも大であるときに前記表示結果情報を生成することを特徴とする請求項１または２に記載のデジタル表示体重計。
【発明の詳細な説明】
【技術分野】
【０００１】
本発明は、対象者の体重を計測する体重計及び体重計の制御方法に関するものである。
【背景技術】
【０００２】
従来より、例えば乳幼児や、犬や猫等のペット、比較的小形な家畜等の動物等の体重を計測するときは、測定中に乳幼児や動物等が体重計上で姿勢を維持することができないため、例えば体重計にトレイが設けられたものを使用していた（例えば特許文献１）。この場合は、保護者は乳児等を前記トレイ内に載置することで、乳児等の体重を容易に計測する構成となっていた。
【特許文献１】特許第２９４８６８１号公報（図１等）
【発明の開示】
【発明が解決しようとする課題】
【０００３】
しかしながら、このようなトレイ付き体重計のトレイ内に乳児等を載置すると、トレイ内で乳児等が動くと正確に体重を計測することができないことや、トレイ内への乳児等の載置位置によって測定結果が変動すること、嫌がった場合等の乳児等の状況によってはトレイ上に載置することすらできない等という問題があった。また、体重計にトレイが付いているためトレイ重量を差し引く必要があるだけでなく、全体としてかさばり、体重計が大型化するという問題もあった。さらに、体重計を大人が使用しようとすると、その都度、トレイを取り外す必要があり使い難いという問題があった。
【課題を解決するための手段】
【０００４】
前記課題は、請求項１の発明によれば、載置された対象の重量を計測する重量計測手段と、前記重量計測手段の計測結果を表示する計測結果表示手段と、計時するための計時手段と、を有するデジタル表示体重計であって、前記重量計測手段で計測された第１の計測結果情報と、この第１の計測結果情報の計測時間を前記計時手段で計時した第１の計測時間情報とを関連付けて格納する第１の計測結果情報等格納手段と、前記第１の計測時間情報で計時された時間から所定時間以内に前記重量計測手段で計測された第２の計測結果情報を前記第１の計測結果情報と比較して、一方が大であるときに、前記第２の計測結果情報と前記第１の計測結果情報との差を表示結果情報として生成する表示結果情報生成手段と、前記表示結果情報を格納する表示結果情報格納手段と、前記表示結果情報が、所定範囲に含まれるかを比較し、前記所定範囲に含まれる場合には前記計測結果表示手段に表示する表示判定手段と、を有することを特徴とするデジタル表示体重計により達成される。
【０００５】
請求項１の構成によれば、前記重量計測手段で計測された第１の計測結果情報と、この第１の計測結果情報の計測時間を前記計時手段で計時した第１の計測時間情報とを関連付けて格納する第１の計測結果情報等格納手段を有している。
このため、例えば乳児の母親等の通常に体重計を使用することが可能な使用者が前記重量計測手段で自己の体重を計測すると計測結果である第１の計測結果情報は、その計測時間情報である第１の計測時間情報と共に前記第１の計測結果情報格納手段に格納される。
【０００６】
また、請求項１の構成によれば、前記第１の計測時間情報で計時された時間から所定時間以内に前記重量計測手段で計測された第２の計測結果情報が前記第１の計測結果情報と比較して、一方が大であるときに、前記第２の計測結果情報と前記第１の計測結果情報との差を表示結果情報として生成する表示結果情報生成手段と、前記表示結果情報を格納する表示結果情報格納手段と、前記表示結果情報が、所定範囲に含まれるかを比較し、前記所定範囲に含まれる場合には前記計測結果表示手段に表示する表示判定手段と、を有している。
このため、母親は自己の体重を計測した後、例えば３分以内程度とされた所定時間以内に乳児を抱いて計測すると、これが第２の計測結果情報となり、この第２の計測結果情報は、自己の体重である第１の計測結果情報より重い。そこで、この第２の計測結果情報から第１の計測結果情報をとの差である乳児の体重である表示結果情報が前記表示結果情報生成手段によって生成されて、前記表示格納手段に格納される。
そして、前記表示結果情報が、例えば０．５ｋｇ〜１０ｋｇ程度とされた所定範囲の重量に含まれていた場合には、前記表示判定手段によって前記計測結果表示手段に表示される。
したがって、母親は自己の体重を計測した後、乳児等を抱いて再び体重を計測するだけで乳児等の体重を知ることができる。また、従来のようにトレイ等を用いないので、乳児や動物等がトレイの中で動いて体重を正確に計ることができないということや、乳児等が一人でトレイ内に放置されることに伴う不安感から泣き出してしまう等の問題がない。また、トレイ等がないので体重計が全体として大型化することもない。
そして、大人が通常、体重計で体重を計測する場合もトレイ等を外す必要がなく、且つ、煩わしい操作等をすることなく、単に前記重量計測手段に乗るだけでよいので使い易い体重計となる。
【０００７】
請求項２の発明は、請求項１の構成において、前記第１の計測結果情報を前記計測結果表示手段に表示するときに用いられる第１の表示単位を格納する第１の表示単位格納手段と、前記表示結果情報を前記計測結果表示手段に表示するときに用いられる表示単位であり、且つ前記第１の表示単位より小さい単位である第２の表示単位を格納する第２の表示単位格納手段と、を有することを特徴とするデジタル表示体重計により達成される。
【０００８】
請求項２の構成によれば、第１の計測結果情報は、第１の表示単位を格納する第１の表示単位格納手段に格納される。つまり、第１の計測結果を測定した際における母親等の使用者の体重では、第１の表示単位である例えば５０ｇや１００ｇ単位で、前記計測結果表示手段に表示される。これにより、変動が少ない母親等の体重を前記体重計で計測して把握することができる。
また、請求項２の構成によれば、第２の測定結果情報と第１の測定結果情報との差である前記表示結果情報が、前記計測結果表示手段に表示するときの表示単位であり、且つ前記第１の表示単位より小さい単位である第２の表示単位を格納する第２の表示単位格納手段に格納される。つまり、この表示結果情報である乳児や動物等の体重は軽く、変動が大きい為、例えばミルクの摂取量を把握する際等には、母親等より小さな単位で把握する必要があるので、例えば１０ｇや２０ｇ単位である前記第２の表示単位で乳児の単位を前記計測結果表示手段に表示する。
このように乳児や動物等の体重は小さい単位で表示されるため、体重の変動を正確に把握することができる。
【０００９】
請求項３の発明は、請求項１または請求項２の構成において、前記表示結果情報生成手段は、前記第２の計測結果情報が前記第１の計測結果情報よりも大であるときに前記表示結果情報を生成することを特徴とするデジタル表示体重計により達成される。
請求項３の構成によれば、前記第２の計測結果情報が大きいときに前期表示結果情報を生成する。つまり、まず初期値として母親等が体重を測定し、その後に乳児や動物等を抱いた状態で体重を測定する構成とされており、母親等の自ら計測可能な使用者が、自分の体重を把握した場合に適切な計測を行うことができるだけでなく、母親等の使用者が乳児や動物等の状態を確認した上で、まず自らの計測を行い、その後に計測対象者を抱いて測定ができるため、不機嫌なときなど計測が困難な状況下における計測を行わずに、計測対象者の体重を計測することができる。
【発明の効果】
【００１０】
本発明は、乳児や動物等の計測対象者の体重を正確に計測でき、大型化せず、且つ使い易い体重計及び体重計の制御方法を提供することができるという利点がある。
【発明を実施するための最良の形態】
【００１１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１２】
図１は、本発明の実施の形態に係る体重計１００を示す概略斜視図である。図１に示すように、デジタル表示体重計１００は、計測すべき対象である例えば、母親等の介助者及び介助者に抱かれた乳児や動物等の測定対象者を載置する測定部１０１を有している。また、体重計１００は、測定された母親及び乳児や動物等の体重を表示する計測結果表示手段である例えば、液晶ディスプレイ等からなる表示部１０２を有する。すなわち、表示部１０２は、後述するロードセル１０４の計測結果を表示する機能を果たしている。
さらに、体重計１００を稼働状態とするための電源スイッチ１０３も有している。
図２は、図１の体重計１００の主なハードウエア構成等を示す概略図である。
図２に示すように体重計１００には、図１の測定部１０１に乗った母親等の荷重に対応して動作するロードセル１０４が設けられている。ロードセル１０４は、体重計１００に載置された対象である母親等の重量を計測する重量計測手段の一例となっている。
このロードセル１０４に加わった荷重は、増幅回路１０５、ＡＤ変換部１０６を経てＣＰＵ（Ｃｅｎｔｒａｌ  Ｐｒｏｃｅｓｓｉｎｇ  Ｕｎｉｔ）１０７に伝達される構成と成っている。ＣＰＵ１０７には、ＲＯＭ（Ｒｅａｄ  Ｏｎｌｙ  Ｍｅｍｏｒｙ）１０９、ＲＡＭ（Ｒａｎｄｏｍ  Ａｃｃｅｓｓ  Ｍｅｍｏｒｙ）１０８が接続されている。
このため、ロードセル１０４に加わった荷重は、ＣＰＵ１０７がＲＡＭ１０８やＲＯＭ１０９を用いて数値として表示部１０２に表示される構成となっている。また、体重計１００には、時間を計測する計時手段である例えば、タイマー１１０や電源である電池１１１等も備えられている。
ところで、ＣＰＵ１０７は、所定のプログラムの処理を行う他、ＲＯＭ１０９等を制御している。ＲＯＭ１０９は、プログラムや各種情報等を格納している。ＲＯＭ１０９は、書き換え可能な不揮発性メモリであるＦＬＡＳＨ  ＲＯＭを含んでいても良い。ＲＡＭ１０８は、プログラム処理中のメモリの内容を対比したり、プログラムを実行するためのエリアとしての機能を有する。
【００１３】
図３は、図２の表示部１０２の具体的な構成を示す概略図である。図３に示すように、表示部１０２の中央部には体重を数値で示す数字表示部１０２ａが形成されている。また、数字表示部１０２ａの図に置いて左側には、荷重が安定したときに点灯する安定マーク１０２ｂと電池交換が必要なときに点灯する電池不足マーク１０２ｄが形成されている。
さらに、数字表示部１０２ａの図において右側には、後述する乳児等の測定対象者の体重測定可能を示す風袋引き後マーク１０２ｃが形成されている。
このため、体重計１００の利用者である母親等は、表示部１０２を視認するだけで全ての情報を確認できる構成となっている。
なお、図示されていないが、表示部１０２には、母親等の介助者の重量である後述する表示固定値が表示された際に、表示固定値が表示されていることを示す識別子（例えば母親マーク）を点灯させ、乳児や動物等の測定対象者の重量である後述する表示値が表示された際に、表示値が表示されていることを示す識別子（例えば乳児マーク）を点灯させるよう構成しても良い。
【００１４】
図４は、図２の体重計１００の主なソフトウエア構成等を示す概略図である。図４に示すようにタイマー１１０、ロードセル１０４、表示部１０２及び電源スイッチ１０３は、制御部１１２により動作が制御される構成となっている。また、制御部１１２には、データベース１１３が接続されており、データベース１１３は、表示部１０２で母親等の体重を数字で表示する際に表示単位を示す表示単位情報ファイル１１３ａを有している。具体的には、表示単位は２０ｇ又は５０ｇであり、後述する表示固定値が２０ｋｇ以上で１２０ｋｇ以下の場合は５０ｇを表示単位とし、後述する表示値が２０ｋｇ未満の場合は２０ｇを表示単位とする旨の情報が登録されている。この時、ロードセル１０４による測定単位は１０ｇ単位として、測定結果を示す表示単位を２０ｇや５０ｇとしている。
また、データベース１１３には、電源スイッチ１０３がＯＮ状態となった後、母親等が図１の測定部１０１に乗り、最初にロードセル１０４が動作し、荷重が検出され体重が計測された表示固定値と、この表示固定値をタイマー１１０が測定した表示固定値計測時間
と、を関連付けて登録とする表示固定値及び計測時間記録ファイル１０３ｂを有している。
この表示固定値及び計測時間記録ファイル１０３ｂは、ロードセル１０４で計測された第１の計測結果情報である例えば、表示固定値と、この表示固定値の計測時間をタイマー１１０で計時した第１の計測時間情報である例えば、表示固定値計測時間とを関連付けて格納する第１の計測結果情報等格納手段の一例である。
ところで、データベース１１３内の表示単位情報ファイル１１３ａは、表示固定値を表示部１０２に表示するときに用いられる第１の表示単位である例えば、上述の５０ｇを格納する第１の表示単位格納手段の一例となっている。
【００１５】
また、データベース１１３は、表示固定値の計測の後に、例えば母親等が乳児を抱いて図１の測定部１０１に乗って体重を計測した第２の計測結果情報である例えば、荷重値と、その計測時間を登録する荷重値及び計測時間記録ファイル１１３ｃを有している。
また、図４の制御部１１２には、表示固定値と荷重値とを比較して、荷重値が大であるときに、荷重値と表示固定値との差を表示結果情報として生成する表示結果情報生成手段である例えば、表示値生成部１１２ａを有している。具体的には、表示値生成部１１２ａは、データベース１１３内の表示値生成情報ファイル１１３ｄ内の情報を参照して表示結果情報を生成する。
そして、この表示値結果情報は、例えば乳児の体重である表示値である。すなわち、表示固定値で母親の体重値が求まり、荷重値で乳児及び母親の合計体重が求まるので、荷重値と表示固定値との差である表示値は乳児の体重となる。
また、データベース１１３には、制御部１１２の表示部生成部１１２ａで生成された乳児の体重である表示値を格納する表示結果情報格納手段である例えば、表示値記録ファイル１１３ｅを有している。
さらに、データベース１１３は、あらかじめ所定重量範囲が定められた例えば、表示重量範囲ファイル１１３ｆを有しており、制御部１１２には表示判定手段の一例である表示判断部１１２ｃを有している。表示判断部１１２ｃは測定された荷重値や表示値の重量が、表示重量範囲ファイル１１３ｆの重量範囲に含まれているかの確認を行い、含まれていない場合には数値表示部１０２ａにＨ（ＨＩＧＨ）やＬ（ＬＯＷ）等のエラー表示を行う。
また、データベース１１３の表示単位情報ファイル１１３ａには、表示値記録ファイル１１３ｅの乳児の体重等である表示値を表示部１０２に表示するときに用いられる表示単位であり、母親等の体重である表示固定値を表示する５０ｇの表示単位より小さい単位である第２の表示単位である例えば、２０ｇの表示単位が格納されている。このため、表示単位情報ファイル１１３ａは第２の表示単位格納手段の一例ともなっている。
【００１６】
ところで、図４の制御部１１２には、データベース１１３の表示単位情報ファイル１１３ａ内の５０ｇ又は２０ｇの表示単位を必要に応じて選択する表示単位判断部１１２ｂを有している。すなわち、表示部１０２に表示する体重が母親等の体重である表示固定値であるときは、５０ｇを表示単位と判断し、一方、乳児等の体重である表示値を表示するときは２０ｇを表示単位として判断する構成となっている。なお、表示単位について、それぞれ母親等の介助者や単独使用者の表示固定値は５０ｇではなく１００ｇ単位でもよく、乳児等の測定対象者の表示値は２０ｇではなく１０ｇや３０ｇ単位としても良い。
【００１７】
本実施の形態に係る体重計１００は、以上のように構成されているが、以下その動作等について説明する。以下、母親が乳児の体重を計測する場合を例に説明する。図５及び図６は、乳児の体重計測の過程を示す概略フローチャートである。
先ず、図１の体重計１００の電源スイッチ１０３をＯＮにする（図５のＳＴ１）と、図２のタイマー１１０が計時を開始する（ＳＴ２）。また、図１の表示部１０２の図３の数字表示部１０２ａに記録されている最新の表示固定値又は表示値が表示される（ＳＴ３）。
具体的には、図４の制御部１１２がデータベース１１３内の表示固定値及び計測時間記録ファイル１１３ｂ、表示値記録ファイル１１３ｅ及び荷重値及び計測時間記録ファイル１１３ｃを参照し、計測時間が最新の表示固定値（母親の体重）又は表示値（乳児の体重）を表示部１０２に表示する。
【００１８】
次に、表示部１０２は最新の表示固定値又は表示値を消し、図３の数字表示部１０２ａに「０．００ｋｇ」と表示する（ＳＴ４）。このとき制御部１１２の表示単位判断部１１２ｂは、表示単位情報ファイル１１３ａから表示単位５０ｇを選択する。
次に、図２のロードセル１０４が荷重を０．５ｋｇ以上計測したか否かを判断する（ＳＴ５）。すなわち、母親が図１の測定部１０１に乗ったか否かを判断する。ロードセル１０４が０．５ｋｇ以上の荷重を計測せずにＳＴ２のタイマーが２分経過したときは（ＳＴ６）、誤って電源スイッチ１０３が入ったものと判断し、体重計１００は自動的に電源スイッチ１０３をＯＦＦとし（ＳＴ７）、終了する（ＳＴ８）。
したがって、誤って電源スイッチ１０３を入れた場合でも自動的に電源が切れるので電池等を無駄に消費するのを未然に防ぐことができる。
一方、ＳＴ５で０．５ｋｇ以上の荷重をロードセル１０４が計測したときは、その数値が図４に示す表示重量範囲ファイル１１３ｆの数値に含まれるかの判断を表示判断部１１２ｃが行い（ＳＴ９）、含まれない場合には数字表示部１０２ａにＨやＬ等のエラー表示を行う（ＳＴ１０）。数値が含まれる場合には、図３の数字表示部１０２ａに現在体重が表示される。具体的には、母親が単独で体重計１００に乗るので母親の体重が表示される（ＳＴ１１）。次に、体重計１００は荷重が安定したか否かを判断する（ＳＴ１２）。荷重が安定せず、ＳＴ１のタイマースタートから５分経過した場合（ＳＴ１３）は、体重計１００は計測不能と判断し、電源スイッチ１０３をＯＦＦとし（ＳＴ１４）、終了する（ＳＴ１５）。
したがって、計測不能であるにもかかわらず無駄に電池が消耗されるのを防ぐことができる。
【００１９】
一方、ＳＴ１２で荷重が安定すると、図３の安定マーク１０２ｂを点灯させ、安定した荷重値を表示固定値、具体的には母親の体重として表示し（ＳＴ１６）、この安定した時間情報を計測時間として表示固定値と共に、図４のデータベース１１３の表示固定値及び計測時間記録ファイル１１３ｂに登録する（ＳＴ１７）。このとき表示される母親の体重は５０ｇ単位で表示される。
次に、電源スイッチ１０３がＯＦＦとなったか否かを判断し（ＳＴ１８）、ＯＦＦとなった場合は、終了する（ＳＴ１９）。すなわち、母親が自己の単独の体重を把握するために自らの体重を計測した後、電源スイッチ１０３をＯＦＦにすると通常の体重計測が終了する。
【００２０】
一方、ＳＴ１８で電源スイッチがＯＦＦとなっていないと判断された場合、図２のタイマー１１０がクリア及びスタートとなり（ＳＴ２０）、タイマーが２分経過したか否かを判断する（ＳＴ２１）。
すなわち、タイマーが２分経過したときは、母親は次の段階である乳児の体重の計測をすることはなく、単に自らの体重を計測した際の電源スイッチ１０３の切り忘れと判断してＳＴ７と同様に電源スイッチ１０３をＯＦＦとし、体重測定が終了する。
一方、ＳＴ２１でタイマーが２分以内で（ＳＴ２１）、且つ、ＳＴ１７で登録した母親体重である表示固定値より０．５ｋｇ以上の荷重を図２のロードセル１０４が測定したときは（ＳＴ２２）、母親が乳児を抱いて図１の測定部１０１に乗ったと判断し、乳児の体重計測を開始する。
すなわち、母親は自己の体重計測の後、２分以内に乳児を抱いて体重計１００に乗るだけで体重計１００は自動的に乳児の体重計測を開始するので、母親はスイッチ類を操作する等の煩わしい操作をする必要がないので使いやすい体重計１００となる。
【００２１】
乳児の体重計測が開始すると、タイマークリア及びスタート（ＳＴ２３）が行われ、ＳＴ９と同様に、その数値が図４に示す表示重量範囲ファイル１１３ｆの数値に含まれるかの判断を表示判断部１１２ｃが行い（ＳＴ２４）、含まれない場合には数字表示部１０２ａにＨやＬ等のエラー表示を行う（ＳＴ２５）。数値が含まれる場合には、乳児を抱いた母親の体重である荷重が安定したか否かを判断する（ＳＴ２６）。荷重が安定しないで、タイマー１１０が５分経過すると（ＳＴ２７）、計測不能と判断し、電源スイッチ１０３をＯＦＦにし（ＳＴ２８）、計測を終了させる（ＳＴ２９）。
一方、ＳＴ２６で荷重が安定すると、ＳＴ１６と同様に安定マークが図３の安定マーク１０２ｂが点灯して、母親等の利用者に示される。そして、安定した荷重を荷重値とし、測定時間と共に図４の制御部１１２がデータベース１１３の荷重値及び計測時間記録ファイル１１３ｃに登録する。そして、制御部１１２の表示値生成部１１２ａは、荷重値及び計測時間記録ファイル１１３ｃ内の荷重値、すなわち乳児を抱いた母親の合計体重から表示固定値及び計測時間記録ファイル１１３ｂ内の表示固定値、すなわち母親の単独体重を引き表示値、すなわち乳児の体重を演算する（ＳＴ３１）。
このときの演算式等はデータベース１１３の表示値生成情報ファイル１１３ｄ内に格納されているので、表示値生成部１１２ａはこの演算式等を参照しながら処理する。
このようにして演算された表示値（乳児の体重）が２０ｋｇ以下であるか否かを判断する（ＳＴ３２）。２０ｋｇ以下でない場合は、表示できないので表示不能と判断し、電源スイッチ１０３をＯＦＦにし（ＳＴ２８）、終了する（ＳＴ２９）。
一方、表示値が２０ｋｇ以下の場合は、表示値を表示部１０２に表示できるので、表示値を図４の表示値記録ファイル１１３ｅに登録し（ＳＴ３３）、図３の表示部１０２の風袋引き後マーク１０２ｃを点灯させる（ＳＴ３４）。これにより母親は乳児の体重の計測が終了したことを明確に認識することができる。
【００２２】
次に、図４の制御部１１２の表示単位判断部１１２ｂは、表示単位情報ファイル１１３ａを参照し、表示値の表示単位である２０ｇを選択する。そして、制御部１１２はデータベース１１３内の表示値記録ファイル１１３ｅ内の表示値を２０ｇ単位で図３の数字表示部１０２ａに表示させる（ＳＴ３５）。この表示値が乳児の体重となる。この表示値は母親の体重である表示固定値を表示するときの単位である５０ｇより小さい単位の２０ｇで表示されるので、乳児の体重を正確に計測することができる。このため、乳児の体重の変化を正確に計測することができる。
また、以上のように母親等の介助者は自己の体重を計測した後、乳児や動物等の測定対象者を抱いて再び体重計１００に乗るだけで乳児等の体重を計測することができるので、従来のようにトレイ等を用いることがない。このため、乳児等がトレイ内で動いて体重が不正確になることがない。また、図１に示すように体重計１００には、トレイ等がないので体重計１００が全体として大型化することがなく、持ち運びを行いやすく、保管時にスペースを取ることもない。
さらに、母親が自己の体重を計るときも、従来のようにトレイ等を体重計から取り外す必要がなく、且つ、何らの操作もなく単に体重計１００の測定部１０１に乗るだけで自己の体重を計測できるので使い易い体重計１００となっている。
このように、母親等の介助者が、自らの体重を測定すると共に、乳児や動物等の測定対象者を抱いた状態でも測定を行うことで測定対象者の体重を測定するデジタル表示体重計であって、一方の計測結果情報を測定時間と共に記憶し、所定の時間内に測定された他方の計測結果情報を一方の計測結果情報と演算することで、その差を測定対象者の重量として表示する構成とされており、さらに、数値の大きい計測結果情報と数値の小さい計測結果情報における表示単位を異なる単位として表示するデジタル表示体重計とされている。
【００２３】
ところで、ＳＴ３５で乳児の体重である表示値が表示部１０２に表示されると、タイマークリア及びスタート（ＳＴ３６）され、電源スイッチ１０３がＯＦＦになったら（ＳＴ３７）、終了する（ＳＴ３８）。一方、電源スイッチ１０３がＯＦＦにならずにタイマーが２分経過すると（ＳＴ３９）、電池の消耗を防ぐため電源スイッチ１０３がＯＦＦになり（ＳＴ４０）、終了する（ＳＴ３８）。
【００２４】
本発明は、上述の各実施の形態に限定されない。例えば、電池１１１ではなくコンセントから電力を供給するよう構成しても良い。
また、母親等の介助者が先に測定し、その後に乳児や動物等の測定対象者を抱いた状態で測定するのではなく、測定対象者を抱いた状態で先に測定し、その後に介助者の体重を測定するよう構成しても良い。
その他にも、表示固定値と表示値の各値を測定するにあたって、タイマー１１０のみを使用するのではなく、母親等の介助者と、介助者が乳児や動物等の測定対象者を抱いた際の各測定時にあらかじめ計測対象を選択する選択ボタンを設け、タイマー１１０と組み合せて使用するよう構成しても良い。
さらに、パソコン等の他の記憶手段に接続可能として、表示部１０２に表示された測定結果を経時的に体重の変動を把握できるよう構成しても良い。
また、測定対象者は乳児や動物等の生物ではなく、例えば袋に入った液状物等の通常の重量計では測定が困難な形状保持が困難な器物であってもよい。
上述の各実施の形態は、相互に組み合わせて構成するようにしてもよい。
【図面の簡単な説明】
【００２５】
【図１】本発明の実施の形態に係る体重計を示す概略斜視図である。
【図２】図１の体重計の主なハードウエア構成等を示す概略図である。
【図３】図２の表示部の具体的な構成を示す概略図である。
【図４】図２の体重計の主なソフトウエア構成等を示す概略図である。
【図５】乳児の体重計測の過程を示す概略フローチャートである。
【図６】乳児の体重計測の過程を示す他の概略フローチャートである。
【符号の説明】
【００２６】
１００・・・体重計、１０１・・・測定部、１０２・・・表示部、１０２ａ・・・数字表示部、１０２ｂ・・・安定マーク、１０２ｃ・・・風袋引き後マーク、１０３・・・電源スイッチ、１０４・・・ロードセル、１０５・・・増幅回路、１０６・・・ＡＤ変換部、１０７・・・ＣＰＵ、１０８・・・ＲＯＭ、１０９・・・ＲＡＭ、１１０・・・タイマー、１１１・・・電池、１１２・・・制御部、１１２ａ・・・表示値生成部、１１２ｂ・・・表示単位判断部、１１２ｃ・・・表示判断部、１１３・・・データベース、１１３ａ・・・表示単位情報ファイル、１１３ｂ・・・表示固定値及び計測時間記録ファイル、１１３ｃ・・・荷重値及び計測時間記録ファイル、１１３ｄ・・・表示値生成情報ファイル、１１３ｅ・・・表示値記録ファイル、１１３ｆ・・・表示重量範囲ファイル。
【図１】
2005106552.tif 000003
【図２】
2005106552.tif 000004
【図３】
2005106552.tif 000005
【図４】
2005106552.tif 000006
【図５】
2005106552.tif 000007
【図６】
2005106552.tif 000008